(57)【要約】【課題】バックライトの光源に赤色ＬＥＤと緑色ＬＥＤと２色のＬＥＤを用いて視認性の優れた３色バックライトを実現する。【解決手段】ＬＥＤ５、６で発光させた光を液晶表示部４全体に均一に拡散させるバックライト拡散手段７を備え、２色のＬＥＤ５、６を同時に点灯させても均一に色が混ざるようにする。【選択図】図１
2005147537.tif 000002
【特許請求の範囲】
【請求項１】
液晶表示部と、前記液晶表示部のバックライトの光源である第１のＬＥＤと、第１のＬＥＤとは発光色が異なる第２のＬＥＤと、前記第１のＬＥＤと第２のＬＥＤの点灯・消灯を制御する制御部と、前記第１のＬＥＤと第２のＬＥＤの光を前記液晶表示部の画面全体に均一に拡散させるバックライト拡散手段を備えた給湯機のリモコンにおいて、前記第１のＬＥＤのみを点灯させた場合、第２のＬＥＤのみを点灯させた場合、第１と第２のＬＥＤを同時に点灯させた場合とで３色のバックライトを点灯させることができる給湯機のリモコン。
【請求項２】
第１のＬＥＤ、第２のＬＥＤの発光色に赤色と緑色を用いた請求項１に記載の給湯機のリモコン。
【請求項３】
請求項１記載の給湯機のリモコンにおいて、第１のＬＥＤ、第２のＬＥＤ、バックライト拡散手段のかわりに制御部で点灯・消灯を制御される２色発光のＥＬを備え、ＥＬで１色目を点灯させた場合、ＥＬで２色目を点灯させた場合、ＥＬで２色を同時に点灯させた場合とで３色のバックライトを点灯させることができる給湯機のリモコン。
【請求項４】
運転待機モード中と、風呂の自動お湯張りモード中と、自動お湯張り完了後の保温モード中でバックライトを異なる色で点灯させる請求項１〜３に記載の給湯機のリモコン。
【請求項５】
運転待機モード中と、給湯・風呂運転モード中と、暖房運転モード中とでバックライトを異なる色で点灯させる請求項１〜３に記載の給湯機のリモコン。
【請求項６】
給湯の温度設定が高温設定された場合と、高温設定されていない待機モード中と、高温設定されていない運転モード中でバックライトを異なる色で点灯させる請求項１〜３に記載の給湯機のリモコン。
【請求項７】
給湯機に故障等が発生しユーザーにエラー報知を行う場合と、正常な状態での待機モード中と、正常な状態での運転モード中でバックライトを異なる色で点灯させる請求項１〜３に記載の給湯機のリモコン。
【発明の詳細な説明】
【技術分野】
【０００１】
本発明は２色の光源で三色のバックライトを点灯させることができる給湯機のリモコンに関するものである。
【背景技術】
【０００２】
従来、この種の給湯機のリモコンは、液晶表示部のバックライト用に２色の光源を備え、２色のバックライトを点灯している（例えば特許文献１）。
【０００３】
図７は、特許文献１に記載された従来の給湯機のリモコンを示すものである。図７に示すように、給湯機１と、リモコン２と、制御部３と、液晶表示部４と、赤色のＬＥＤ５と、緑色のＬＥＤ６で構成されている。
【特許文献１】特開平８−３３０５８号公報
【発明の開示】
【発明が解決しようとする課題】
【０００４】
しかしながら、前記従来の構成では、バックライトの光源である赤色ＬＥＤと緑色ＬＥＤで発光させた光を液晶表示部全体に均一に拡散させることができないため、赤色ＬＥＤと緑色ＬＥＤを同時に点灯させると赤色と緑色がまだらに混ざり液晶表示部の視認性が悪いため、赤色ＬＥＤのみを点灯させた場合と緑色ＬＥＤを点灯させた場合の２色のバックライトしか実現できないという課題を有していた。
【０００５】
本発明は、前記従来の課題を解決するもので、２色のバックライト光源で３色のバックライトを点灯させることができる給湯機のリモコンを提供することを目的とする。
【課題を解決するための手段】
【０００６】
前記従来の課題を解決するために、本発明の給湯機のリモコンは、第１のＬＥＤと第２のＬＥＤで発光させた光を液晶表示部全体に均一に拡散させるバックライト拡散手段を備えたものである。
【０００７】
これによって、バックライト拡散手段で第１のＬＥＤと第２のＬＥＤで発光させた光を液晶表示部全体に均一に拡散させることで第１のＬＥＤと第２のＬＥＤを同時に点灯させた場合も第１のＬＥＤの色と第２のＬＥＤの色が均一に混ざるため、第１のＬＥＤのみを点灯させた場合、第２のＬＥＤのみを点灯させた場合、第１と第２のＬＥＤを同時に点灯させた場合と、２色のバックライト光源で３色のバックライトを点灯させることができる。
【０００８】
また、第１のＬＥＤ、第２のＬＥＤの発光色に赤色と緑色を用いたものである。
【０００９】
これによって、赤色のみを点灯させた場合、緑色のみを点灯させた場合、赤色と緑色を同時に点灯させた場合で、赤色と緑色と橙色の３色でバックライトを点灯させることができる。
【００１０】
また、第１のＬＥＤ、第２のＬＥＤ、バックライト拡散手段のかわりに２色発光のＥＬを備えたものである。
【００１１】
これによって、ＥＬは発光面全体が均一に発光するため、ＥＬの１色目のみを点灯させた場合、ＥＬの２色目のみを点灯させた場合、両方の色を同時に点灯させた場合と、２色のバックライト光源で３色のバックライトを点灯させることができる。そして第１のＬＥＤ、第２のＬＥＤ、バックライト拡散手段をＥＬだけで構成できるため、リモコンの小型化、薄型化ができる。
【００１２】
また、運転待機モード中と、風呂の自動お湯張りモード中と、自動お湯張り完了後の保温モード中でバックライトを異なる色で点灯させるものである。
【００１３】
また、運転待機モード中と、給湯・風呂運転モード中と、暖房運転モード中とでバックライトを異なる色で点灯させるものである。
【００１４】
また、給湯の温度設定が高温設定された場合と、高温設定されていない待機モード中と、高温設定されていない運転モード中でバックライトを異なる色で点灯させるものである。
【００１５】
また、給湯機に故障等が発生しユーザーにエラー報知を行う場合と、正常な状態での待機モード中と、正常な状態での運転モード中でバックライトを異なる色で点灯させるものである。
【発明の効果】
【００１６】
本発明の給湯機のリモコンは、ＬＥＤの光を液晶表示部全体に均一に拡散させるバックライト拡散手段を備えることで、２色のＬＥＤで３色のバックライトを点灯することができる。
【００１７】
また、バックライト光源に赤色と緑色のＬＥＤを備えることで赤色、緑色、橙色の３色のバックライトを点灯することができる。
【００１８】
また、バックライト光源のＬＥＤとバックライト拡散手段のかわりに２色発光のＥＬを備えることで、２色のＥＬで３色のバックライトを点灯することができる。加えてリモコンの薄型化・小型化ができる。
【００１９】
また、運転待機モード中と、風呂の自動お湯張りモード中と、自動お湯張り完了後の保温モード中でバックライトを異なる色で点灯させることで、ユーザーがお風呂のお湯張り操作時にきちんとお湯張りの操作が出来たか否か、もうお湯張りが完了したか否かがリモコンのバックライトの色だけで判断できる。
【００２０】
また、運転待機モード中と、給湯・風呂運転モード中と、暖房運転モード中とでバックライトを異なる色で点灯させることで、ユーザーが給湯機の運転状態をバックライトの色だけで判断できる。
【００２１】
また、給湯の温度設定が高温設定された場合と、高温設定されていない待機モード中と、高温設定されていない運転モード中でバックライトを異なる色で点灯させることで、ユーザーが給湯栓を開けると高温のお湯が出てくることに対し危険報知をバックライトの色だけで行うことができる。
【００２２】
また、給湯機に故障等が発生しユーザーにエラー報知を行う場合と、正常な状態での待機モード中と、正常な状態での運転モード中でバックライトを異なる色で点灯させることで、ユーザーに給湯機に異常が発生しているか否かの報知をバックライトの色だけで行うことができる。
【発明を実施するための最良の形態】
【００２３】
第１の発明は、液晶表示部と、液晶表示部のバックライトの光源である第１のＬＥＤと、第１のＬＥＤとは発光色が異なる第２のＬＥＤと、第１のＬＥＤと第２のＬＥＤの点灯・消灯を制御する制御部と、第１のＬＥＤと第２のＬＥＤの光を液晶表示部の画面全体に均一に拡散させるバックライト拡散手段を備えた給湯機のリモコンにおいて、バックライト拡散手段で第１のＬＥＤと第２のＬＥＤで発光させた光を液晶表示部全体に均一に拡散させることで第１のＬＥＤと第２のＬＥＤを同時に点灯させた場合も第１のＬＥＤの色と第２のＬＥＤの色が液晶表示部の画面全体で均一に混ざるため、第１のＬＥＤのみを点灯させた場合、第２のＬＥＤのみを点灯させた場合、第１と第２のＬＥＤを同時に点灯させた場合と、２色のバックライト光源で３色のバックライトを点灯させることができる。
【００２４】
第２の発明は、第１の発明において第１のＬＥＤ、第２のＬＥＤの発光色に赤色と緑色を用いることで、赤色のＬＥＤのみを点灯させた時は赤色、緑色のＬＥＤのみを点灯させた時は緑色、赤色と緑色のＬＥＤを同時に点灯させた場合は色が均一に混ざり橙色と３色のバックライトを点灯することができる。
【００２５】
第３の発明は、第１の発明において、第１のＬＥＤ、第２のＬＥＤ、バックライト拡散手段のかわりに制御部で点灯・消灯を制御される２色発光のＥＬを備えることで、ＥＬが発光面全体で均一に発光する素子あるため、ＥＬで１色目を点灯させた場合、ＥＬで２色目を点灯させた場合、ＥＬで２色を同時に点灯させた場合とで３色のバックライトを点灯させることができる。そして第１のＬＥＤ、第２のＬＥＤ、バックライト拡散手段をＥＬだけで実現できるためリモコンの薄型化、小型化ができる。
【００２６】
第４の発明は、運転待機モード中と、風呂の自動お湯張りモード中と、自動お湯張り完了後の保温モード中でバックライトを異なる色で点灯させることで、ユーザーがお風呂のお湯張り操作時にきちんとお湯張りの操作が出来たか否か、もうお湯張りが完了したか否かがリモコンのバックライトの色だけで判断できる。
【００２７】
第５の発明は、運転待機モード中と、給湯・風呂運転モード中と、暖房運転モード中とでバックライトを異なる色で点灯させることで、ユーザーが給湯機の運転状態が待機モード中か、給湯・風呂運転モード中か、暖房運転モード中かをバックライトの色だけで判断できる。
【００２８】
第６の発明は、給湯の温度設定が高温設定された場合と、高温設定されていない待機モード中と、高温設定されていない運転モード中でバックライトを異なる色で点灯させることで、ユーザーが給湯栓を開けると高温のお湯が出てくることに対し危険報知をバックライトの色だけで行うことができる。
【００２９】
第７の発明は、給湯機に故障等が発生しユーザーにエラー報知を行う場合と、正常な状態での待機モード中と、正常な状態での運転モード中でバックライトを異なる色で点灯させることで、ユーザーに給湯機に異常が発生しているか否かの報知をバックライトの色だけで行うことができる。
【００３０】
以下、本発明の実施の形態について、図面を参照しながら説明する。なお、本実施の形態によって本発明が限定されるものではない。
【００３１】
（実施の形態１）
図１は、本発明の実施の形態における給湯機のリモコンの構成図を示すものである。
【００３２】
図１において、給湯機１をコントロールするリモコン２がある。このリモコン２は液晶表示部４と、液晶表示部のバックライトの光源であるＬＥＤ５（赤）とＬＥＤ６（緑）と、ＬＥＤ５とＬＥＤ６で発光された光を液晶表示部４全体に均一に拡散させるバックライト拡散手段としての導光板７と、ＬＥＤ５とＬＥＤ６の点灯・消灯を制御する制御部３が備えられている。
【００３３】
以上のように構成された給湯機のリモコンについて、以下その動作、作用を説明する。
【００３４】
制御部３がＬＥＤ５のみを点灯させると、ＬＥＤ５で発光された赤い光は導光板７で液晶表示部４の画面全体に均一に拡散され、液晶表示部４のバックライトとして赤く点灯する。
【００３５】
制御部３がＬＥＤ６のみを点灯させたときも同様に、ＬＥＤ６の発光色である緑色で液晶表示部４のバックライトとして点灯する。
【００３６】
制御部３がＬＥＤ５とＬＥＤ６を同時に点灯させた場合は、ＬＥＤ５・ＬＥＤ６で発光された赤と緑の光はそれぞれ導光板７で液晶表示部４の画面全体に均一に拡散されるため、拡散された光が均一に混ざり、結果液晶表示部４の橙色のバックライトとして点灯する。
【００３７】
以上のように、本発明の実施の形態においては、ＬＥＤ５・ＬＥＤ６の赤と緑の光を導光板７で液晶表示部４の画面全体に均一に拡散させることで、ＬＥＤ５・ＬＥＤ６を同時に点灯させた場合も赤色と緑色が均一に混ざった橙色のバックライトとして点灯する。従って、２種類のＬＥＤ（赤、緑）で３色のバックライト（赤、緑、橙）を点灯させることができる。
【００３８】
また本実施の形態のＬＥＤ５とＬＥＤ６の色を別の色のＬＥＤで構成することで異なった３色のバックライトが点灯するリモコンが実現できる。
【００３９】
（実施の形態２）
図２は、本発明の実施の形態における給湯機のリモコンの構成図を示すものである。
【００４０】
図２において、給湯機１をコントロールするリモコン２がある。このリモコン２は液晶表示部４と、液晶表示部４のバックライトの光源であるイエローグリーンとピンクに発光する２色発光のＥＬ８と、ＥＬ８の点灯・消灯を制御する制御部３が備えられている。
【００４１】
以上のように構成された給湯機のリモコンについて、以下その動作、作用を説明する。
【００４２】
制御部３がＥＬ８でイエローグリーンのみを点灯させると、ＥＬ８で面発光されたイエローグリーンの光は、液晶表示部４のバックライトとしてイエローグリーンに均一に点灯する。
【００４３】
制御部３がＥＬ８でピンクのみを点灯させたときも同様に、液晶表示部４のバックライトとしてピンク色に均一に点灯する。
【００４４】
制御部３がＥＬ８でイエローグリーンとピンクを同時に点灯させた場合は、ＥＬ８で発光されたイエローグリーンとピンクの光は均一に混ざり合い、結果液晶表示部４の橙色のバックライトとして点灯する。
【００４５】
以上のように、本発明の実施の形態においては、ＥＬ８が面発光の発光素子であるためイエローグリーンとピンクを同時に点灯させた場合もイエローグリーンとピンクが均一に混ざった橙色のバックライトとして点灯する。従って、２色のＥＬ（イエローグリーン、ピンク）で３色のバックライト（赤、緑、橙）を点灯させることができる。また本発明の実施の形態１より導光板７とＬＥＤ５とＬＥＤ６をＥＬ８だけで構成できるためリモコン２の薄型化・小型化ができる。
【００４６】
また本実施の形態のＥＬ８の発光色を別の色のＥＬで構成することで異なった３色のバックライトが点灯するリモコンが実現できる。
【００４７】
（実施の形態３）
図３は、本発明の実施の形態における給湯機のリモコンのフローチャートを示すものである。
【００４８】
給湯機１はリモコン２より運転待機の指示を受けると運転待機モードに入り、リモコン２へ運転待機モードに入ったことを送信する（ステップ１）。リモコン２は給湯機１が運転待機モード中であることを受信すると、制御部３は緑のバックライトが点灯するようにＬＥＤ５は消灯、ＬＥＤ６は点灯の指示を出す（ステップ２）。給湯機１はリモコン２より風呂の自動お湯張りの指示を受けると自動お湯張りモードに入り、リモコン２へ自動お湯張りモードに入ったことを送信する（ステップ３）。リモコン２は給湯機１が自動お湯張りモード中であることを受信すると、制御部３は赤のバックライトが点灯するようにＬＥＤ５は点灯、ＬＥＤ６は消灯の指示を出す（ステップ４）。お湯張りが完了し保温モードに入ると給湯機１はリモコン２へ保温モードに入ったことを送信する（ステップ５）。リモコン２は給湯機１が保温モード中であることを受信すると、制御部３は橙のバックライトが点灯するようにＬＥＤ５もＬＥＤ６も両方とも点灯の指示を出す（ステップ６）。
【００４９】
以上のように、運転待機モード中と、風呂の自動お湯張りモード中と、自動お湯張り完了後の保温モード中でバックライトを異なる色で点灯させることで、ユーザーがお風呂のお湯張り操作時にきちんとお湯張りの操作が出来たか否か、もうお湯張りが完了したか否かがリモコンのバックライトの色だけで判断できる。
【００５０】
また、本実施の形態のリモコンにおいて、バックライトを点灯のかわりに点滅させても同様の効果がある。
【００５１】
（実施の形態４）
図４は、本発明の実施の形態における給湯機のリモコンのフローチャートを示すものである。
【００５２】
給湯機１はリモコン２より運転待機の指示を受けると運転待機モードに入り、リモコン２へ運転待機モードに入ったことを送信する（ステップ１）。リモコン２は給湯機１が運転待機モード中であることを受信すると、制御部３は緑のバックライトが点灯するようにＬＥＤ５は消灯、ＬＥＤ６は点灯の指示を出す（ステップ２）。給湯機１は給湯栓が開けられたり、風呂の追い炊きの指示を受けると給湯・風呂運転モードに入り、リモコン２へ給湯・風呂運転モードに入ったことを送信する（ステップ３）。リモコン２は給湯機１が給湯・風呂運転モードに入ったことを受信すると、制御部３は橙のバックライトが点灯するようにＬＥＤ５もＬＥＤ６も両方とも点灯の指示を出す（ステップ４）。また給湯機１は暖房運転の指示を受けると暖房運転モードに入り、リモコン２へ暖房運転モードに入ったことを送信する（ステップ５）。リモコン２は給湯機１が暖房運転モードに入ったことを受信すると、制御部３は赤のバックライトが点灯するようにＬＥＤ５は点灯、ＬＥＤ６は消灯の指示を出す（ステップ６）。
以上のように、運転待機モード中と、給湯・風呂運転モード中と、暖房運転モード中とでバックライトを異なる色で点灯させることで、ユーザーが給湯機の運転状態が待機モード中か、給湯・風呂運転モード中か、暖房運転モード中かをバックライトの色だけで判断できる。
【００５３】
また、本実施の形態のリモコンにおいて、バックライトを点灯のかわりに点滅させても同様の効果がある。
【００５４】
（実施の形態５）
図５は、本発明の実施の形態における給湯機のリモコンのフローチャートを示すものである。
【００５５】
給湯機１はリモコン２より運転待機の指示を受けると運転待機モードに入り、リモコン２へ運転待機モードに入ったことを送信する（ステップ１）。リモコン２は給湯機１が運転待機モード中であることを受信すると、制御部３は緑のバックライトが点灯するようにＬＥＤ５は消灯、ＬＥＤ６は点灯の指示を出す（ステップ２）。リモコン２で給湯の温度設定が６０℃以上の高温に設定されたり、給湯機１から給湯の温度設定が６０℃以上の受信をすると（ステップ３）、リモコン２の制御部３は赤のバックライトが点灯するようにＬＥＤ５は点灯、ＬＥＤ６は消灯の指示を出す（ステップ４）。給湯の温度設定が６０℃未満の状態で、給湯機１が給湯運転モードに入り（ステップ５）、リモコン２が給湯機１から給湯運転モードに入ったことを受信すると、制御部３は橙のバックライトが点灯するようにＬＥＤ５もＬＥＤ６も両方とも点灯の指示を出す（ステップ６）。
【００５６】
以上のように、給湯の温度設定が高温設定された場合と、高温設定されていない待機モード中と、高温設定されていない運転モード中でバックライトを異なる色で点灯させることで、ユーザーが給湯栓を開けると高温のお湯が出てくることに対し危険報知をバックライトの色だけで行うことができる。
【００５７】
また、本実施の形態のリモコンにおいて、バックライトを点灯のかわりに点滅させても同様の効果がある。
【００５８】
（実施の形態６）
図６は、本発明の実施の形態における給湯機のリモコンのフローチャートを示すものである。
【００５９】
給湯機１はリモコン２より運転待機の指示を受けると運転待機モードに入り、リモコン２へ運転待機モードに入ったことを送信する（ステップ１）。リモコン２は給湯機１が運転待機モード中であることを受信すると、制御部３は緑のバックライトが点灯するようにＬＥＤ５は消灯、ＬＥＤ６は点灯の指示を出す（ステップ２）。給湯機１で故障等が発生しエラー報知をリモコン２で行う場合、給湯機１はリモコン２へリモコン２でエラー報知の情報を送信する（ステップ３）。リモコン２が給湯機１からエラー報知の情報を受信すると、制御部３は赤のバックライトが点灯するようにＬＥＤ５は点灯、ＬＥＤ６は消灯の指示を出す（ステップ４）。給湯機１は正常に何らかの運転モードに入るとリモコン２へ運転モードに入ったことを送信する（ステップ５）。リモコン２が給湯機１より運転モードに入ったことを受信すると、制御部３は橙のバックライトが点灯するようにＬＥＤ５もＬＥＤ６も両方とも点灯の指示を出す（ステップ６）。
【００６０】
以上のように、給湯機に故障等が発生しユーザーにエラー報知を行う場合と、正常な状態での待機モード中と、正常な状態での運転モード中でバックライトを異なる色で点灯させることで、ユーザーに給湯機に異常が発生しているか否かの報知をバックライトの色だけで行うことができる。
【００６１】
また、本実施の形態のリモコンにおいて、バックライトを点灯のかわりに点滅させても同様の効果がある。
【産業上の利用可能性】
【００６２】
以上のように、本発明にかかる給湯機のリモコンは、２種類のＬＥＤ（赤、緑）で３色のバックライト（赤、緑、橙）を点灯させることができる。また２色のＥＬ（イエローグリーン、ピンク）で３色のバックライト（赤、緑、橙）を点灯させることができる。またリモコンの薄型化・小型化ができる。またユーザーがお風呂のお湯張り操作時にきちんとお湯張りの操作が出来たか否か、もうお湯張りが完了したか否かがリモコンのバックライトの色だけで判断できる。またユーザーが給湯機の運転状態が待機モード中か、給湯・風呂運転モード中か、暖房運転モード中かをバックライトの色だけで判断できる。またユーザーが給湯栓を開けると高温のお湯が出てくることに対し危険報知をバックライトの色だけで行うことができる。またユーザーに給湯機に異常が発生しているか否かの報知をバックライトの色だけで行うことができるので、給湯機以外の機器のリモコンや表示装置等の用途にも適用できる。
【図面の簡単な説明】
【００６３】
【図１】本発明の実施の形態１における給湯機のリモコンの構成図
【図２】本発明の実施の形態２における給湯機のリモコンの構成図
【図３】本発明の実施の形態３における給湯機のリモコンのフローチャート
【図４】本発明の実施の形態４における給湯機のリモコンのフローチャート
【図５】本発明の実施の形態５における給湯機のリモコンのフローチャート
【図６】本発明の実施の形態６における給湯機のリモコンのフローチャート
【図７】従来の給湯機のリモコンの構成図
【符号の説明】
【００６４】
１  給湯機
２  リモコン
３  制御部
４  液晶表示部
５  ＬＥＤ（赤）
６  ＬＥＤ（緑）
７  導光板
８  ＥＬ
【図１】
2005147537.tif 000003
【図２】
2005147537.tif 000004
【図３】
2005147537.tif 000005
【図４】
2005147537.tif 000006
【図５】
2005147537.tif 000007
【図６】
2005147537.tif 000008
【図７】
2005147537.tif 000009